(57)【特許請求の範囲】
【請求項１】
アンテナコイルが受信した電磁波によって電源電圧の供給を受ける一方、前記アンテナコイルを介してデータの送受信を行う半導体集積回路であって、
データが格納されるメモリ回路と、
前記アンテナコイルが接続される一対の端子と、
送信するデータに応じて、前記端子間の負荷を変化させることによって、前記アンテナコイルを介してデータを送信する変調送信回路と、
前記メモリ回路に格納されたデータを前記変調送信回路に出力する送信制御回路と、
前記電源電圧が所定の閾値を下回った場合に、前記送信制御回路をリセットするリセット信号を前記送信制御回路に出力するリセット信号発生回路とを備え、
前記送信制御回路は、データを送信中の状態であることを示す送信状態信号を出力するように構成され、
前記リセット信号発生回路は、前記送信状態信号が出力されている期間は、前記送信状態信号が出力されていない期間よりも前記閾値を低くするように構成されていることを特徴とする半導体集積回路。
【請求項２】
請求項１の半導体集積回路であって、
前記リセット信号発生回路は、前記電源電圧を分圧する分圧抵抗器を有し、前記分圧抵抗器によって分圧された電圧が所定の基準電圧よりも低い場合に、前記リセット信号を出力するように構成されていることを特徴とする半導体集積回路。
【請求項３】
請求項２の半導体集積回路であって、
前記リセット信号発生回路は、前記送信状態信号が出力されている期間は、前記分圧された電圧が、前記送信状態信号が出力されていない期間よりも高くなるように分圧比を変更するように構成されていることを特徴とする半導体集積回路。
【請求項４】
請求項３の半導体集積回路であって、
前記分圧抵抗器は、３個以上の抵抗器から成る直列抵抗器であり、
前記リセット信号発生回路は、前記電源電圧を分圧する前記直列抵抗器の個数を変更することによって前記分圧比を変更するように構成されていることを特徴とする半導体集積回路。
【請求項５】
請求項１から請求項４のうちの何れか１項の半導体集積回路であって、
前記送信制御回路は、前記メモリ回路に格納されたデータを前記変調送信回路に出力すると同時に前記送信状態信号を出力するように構成されていることを特徴とする半導体集積回路。
【請求項６】
請求項１の半導体集積回路であって、
前記送信制御回路は、前記メモリ回路に格納されたデータを保持するバッファを有し、前記バッファに保持したデータを前記変調送信回路に出力するように構成されていることを特徴とする半導体集積回路。
【請求項７】
請求項１の半導体集積回路であって、
前記送信制御回路は、前記変調送信回路へのデータの出力が終了し、前記変調送信回路にデータを出力するために要した時間以上の時間が経過した後に、前記送信状態信号の出力を停止するように構成されていることを特徴とする半導体集積回路。
【請求項８】
請求項１の半導体集積回路であって、
さらに、前記電源電圧が所定の閾値を超えた場合に、前記送信制御回路をリセットするリセット信号を前記送信制御回路に出力する高電圧側リセット信号発生回路を備え、
前記高電圧側リセット信号発生回路は、前記送信状態信号が出力されている期間は、前記送信状態信号が出力されていない期間よりも前記閾値を低くするように構成されていることを特徴とする半導体集積回路。
【請求項９】
請求項８の半導体集積回路であって、
前記高電圧側リセット信号発生回路は、前記電源電圧を分圧する分圧抵抗器を有し、前記分圧抵抗器によって分圧した電圧が所定の基準電圧よりも高い場合に、前記リセット信号を出力するように構成されていることを特徴とする半導体集積回路。
【請求項１０】
請求項９の半導体集積回路であって、
前記高電圧側リセット信号発生回路は、前記送信状態信号が出力されている期間は、前記分圧した電圧が、前記送信状態信号が出力されていない期間よりも高くなるように分圧比を変更するように構成されていることを特徴とする半導体集積回路。
【請求項１１】
請求項１０の半導体集積回路であって、
前記分圧抵抗器は、３個以上の抵抗器から成る直列抵抗器であり、
前記高電圧側リセット信号発生回路は、前記電源電圧を分圧する前記直列抵抗器の個数を変更することによって前記分圧比を変更するように構成されていることを特徴とする半導体集積回路。
【請求項１２】
請求項１に記載の半導体集積回路、および前記半導体集積回路に接続されて電磁波を送受信するアンテナコイルを有する非接触型情報媒体と、
前記非接触型情報媒体に対し、電磁波によって電源電圧の供給、およびデータの送受信を行うデータ送受信装置と、
を備えたことを特徴とする非接触型情報システム。
【発明の詳細な説明】
【技術分野】
【０００１】
本発明は、電磁波によって電力の供給を受ける半導体集積回路、およびこの半導体集積回路を搭載した非接触型情報媒体を含む情報システム（非接触型情報システム）に関するものである。
【背景技術】
【０００２】
近年、コイルの相互誘導現象を利用して所定波長の電磁波によって電力の供給を受ける半導体集積回路を用い、電力の供給と同時にデータの送受信を行う非接触ＩＣカードなどのデータキャリアが実用段階に入っている。この非接触ＩＣカードの種類は、非接触ＩＣカードとの間で電波の送受信を行うリーダーライタと当該非接触ＩＣカードとの間で通信が可能な距離によって、密着型、近接型、および近傍型に分類されており、それぞれについての標準規格も整いつつある。
【０００３】
特に、リーダーライタから１０［ｃｍ］程度までの距離で用いることが可能な近接型の非接触ＩＣカードは、定期券などの用途によく用いられ、駅の改札口などで定期入れから定期券（非接触ＩＣカード）を取り出すことなく、リーダーライタとの非接触状態での情報のやり取りに基づいて、改札口のゲートの開閉制御を行うことが可能である。このように、非接触ＩＣカード、および非接触ＩＣカードを用いた情報システム（非接触型情報システム）は、きわめて広い範囲で使用される可能性を有するものである。
【０００４】
このような非接触型情報システムでは、例えば非接触ＩＣカードからリーダーライタにデータを返信する場合には、非接触ＩＣカードが有する磁気結合されたコイル（アンテナコイル）の負荷を変動させて信号（データ）を変調することによりデータの返信が実現されている。
【０００５】
また、非接触型情報システムでは、データの送受信時に例えば非接触ＩＣカードとリーダーライタの物理的な距離が大きいこと等が原因で、コイルの相互誘導現象によって発生する電圧が小さくなると、非接触ＩＣカードとリーダーライタとの通信が不可能になってしまう場合がある。このため、従来の非接触ＩＣカードでは、電源電圧が前もって定められたリセット検知下限電圧を下回った場合に、内部の半導体集積回路をリセットするようして、正確なデータ通信が担保されている。（例えば、特許文献１を参照。）
【特許文献１】特開平８−７７３１８号公報
【発明の開示】
【発明が解決しようとする課題】
【０００６】
しかし、アンテナコイルの負荷を変動させて信号を変調すると、非接触ＩＣカードからリーダーライタに対してデータの返信が行われる期間は、非接触ＩＣカードとリーダーライタとの物理的な距離がそれほど大きくない場合であっても、アンテナコイルに発生する電圧は一時的に下がってしまう。
【０００７】
すなわち、従来の非接触ＩＣカードは、非接触ＩＣカードとリーダーライタの物理的な距離がある程度以上に離れたり、リーダーライタに対してデータの返信が行われたりすることによって、アンテナコイルに発生する電圧が下がり、電源電圧が前記リセット検知下限電圧よりも低くなると、例え送受信の途中であっても、非接触ＩＣカード内部の半導体集積回路が絶えずリセットされてしまい、非接触ＩＣカードとリーダーライタとの間でデータ通信ができなくなってしまう場合があるという問題を有していた。
【０００８】
本発明は、前記の問題に着目してなされたものであり、非接触型情報媒体（半導体集積回路）と、この非接触型情報媒体と非接触状態で通信を行うリーダーライタとの間の通信可能な距離を延ばし、また、非接触型情報媒体からデータをリーダーライタに返信する際に、電源電圧が低下しても安定してデータの送受信を行うことができる非接触型情報媒体を提供することを課題とする。
【課題を解決するための手段】
【０００９】
前記の課題を解決するため、請求項１の発明は、
アンテナコイルが受信した電磁波によって電源電圧の供給を受ける一方、前記アンテナコイルを介してデータの送受信を行う半導体集積回路であって、
データが格納されるメモリ回路と、
前記アンテナコイルが接続される一対の端子と、
送信するデータに応じて、前記端子間の負荷を変化させることによって、前記アンテナコイルを介してデータを送信する変調送信回路と、
前記メモリ回路に格納されたデータを前記変調送信回路に出力する送信制御回路と、
前記電源電圧が所定の閾値を下回った場合に、前記送信制御回路をリセットするリセット信号を前記送信制御回路に出力するリセット信号発生回路とを備え、
前記送信制御回路は、データを送信中の状態であることを示す送信状態信号を出力するように構成され、
前記リセット信号発生回路は、前記送信状態信号が出力されている期間は、前記送信状態信号が出力されていない期間よりも前記閾値を低くするように構成されていることを特徴とする。
【００１０】
これにより、データの送信状態であるかどうかに応じて、リセット信号が出力される電源電圧（リセット検知下限電圧）が変更されるので、例えばこの半導体集積回路を所定周波数の電磁波を送受信するコイル（アンテナコイル）と接続して非接触型情報媒体（非接触ＩＣカード）を構成すれば、この非接触ＩＣカードに対して電磁波を用いて電源電圧の供給、およびデータの送受信を行うリーダーライタとの間の通信可能な距離を延ばし、安定してデータの送受信を行うことができる。
【００１１】
また、請求項２の発明は、
請求項１の半導体集積回路であって、
前記リセット信号発生回路は、前記電源電圧を分圧する分圧抵抗器を有し、前記分圧抵抗器によって分圧された電圧が所定の基準電圧よりも低い場合に、前記リセット信号を出力するように構成されていることを特徴とする。
【００１２】
また、請求項３の発明は、
請求項２の半導体集積回路であって、
前記リセット信号発生回路は、前記送信状態信号が出力されている期間は、前記分圧された電圧が、前記送信状態信号が出力されていない期間よりも高くなるように分圧比を変更するように構成されていることを特徴とする。
【００１３】
また、請求項４の発明は、
請求項３の半導体集積回路であって、
前記分圧抵抗器は、３個以上の抵抗器から成る直列抵抗器であり、
前記リセット信号発生回路は、前記電源電圧を分圧する前記直列抵抗器の個数を変更することによって前記分圧比を変更するように構成されていることを特徴とする。
【００１４】
これらにより、回路規模を増大させず簡単な回路構成で、分圧抵抗器の個数を変更して、リセット検知下限電圧を切り替えることができる。
【００１５】
また、請求項５の発明は、
請求項１から請求項４のうちの何れか１項の半導体集積回路であって、
前記送信制御回路は、前記メモリ回路に格納されたデータを前記変調送信回路に出力すると同時に前記送信状態信号を出力するように構成されていることを特徴とする。
【００１６】
これにより、電源電圧がリセット検知下限電圧よりも低下する前に、前記リセット検知下限電圧を低く切り替えることができる。
【００１７】
また、請求項６の発明は、
請求項１の半導体集積回路であって、
前記送信制御回路は、前記メモリ回路に格納されたデータを保持するバッファを有し、前記バッファに保持したデータを前記変調送信回路に出力するように構成されていることを特徴とする。
【００１８】
これにより、送信すべきデータが送信制御回路に保持されるので、送信時にメモリ回路を動作させないようにできる。すなわち、一般的に論理ゲートのみで構成される送信制御回路は、論理ゲートだけではなくメモリセルなどにより構成されるメモリ回路よりも低い電圧で動作できるので、データが送信される期間に前記リセット検知下限電圧を低下さても、前記非接触ＩＣカードとリーダーライタとの間の通信可能な距離を延ばし、安定してデータの送受信を行うことができる。
【００１９】
また、請求項７の発明は、
請求項１の半導体集積回路であって、
前記送信制御回路は、前記変調送信回路へのデータの出力が終了し、前記変調送信回路にデータを出力するために要した時間以上の時間が経過した後に、前記送信状態信号の出力を停止するように構成されていることを特徴とする。
【００２０】
これにより、例えば、データの送信が終了した後に、半導体集積回路の内部容量が大きいことなどが原因で、電源電圧の立ち上がりが遅い場合などに、不用意にリセット信号が出力されるのを防止できる。
【００２１】
また、請求項８の発明は、
請求項１の半導体集積回路であって、
さらに、前記電源電圧が所定の閾値を超えた場合に、前記送信制御回路をリセットするリセット信号を前記送信制御回路に出力する高電圧側リセット信号発生回路を備え、
前記高電圧側リセット信号発生回路は、前記送信状態信号が出力されている期間は、前記送信状態信号が出力されていない期間よりも前記閾値を低くするように構成されていることを特徴とする。
【００２２】
また、請求項９の発明は、
請求項８の半導体集積回路であって、
前記高電圧側リセット信号発生回路は、前記電源電圧を分圧する分圧抵抗器を有し、前記分圧抵抗器によって分圧した電圧が所定の基準電圧よりも高い場合に、前記リセット信号を出力するように構成されていることを特徴とする。
【００２３】
また、請求項１０の発明は、
請求項９の半導体集積回路であって、
前記高電圧側リセット信号発生回路は、前記送信状態信号が出力されている期間は、前記分圧した電圧が、前記送信状態信号が出力されていない期間よりも高くなるように分圧比を変更するように構成されていることを特徴とする。
【００２４】
また、請求項１１の発明は、
請求項１０の半導体集積回路であって、
前記分圧抵抗器は、３個以上の抵抗器から成る直列抵抗器であり、
前記高電圧側リセット信号発生回路は、前記電源電圧を分圧する前記直列抵抗器の個数を変更することによって前記分圧比を変更するように構成されていることを特徴とする。
【００２５】
これらにより、電源電圧が所定の電圧（リセット検知上限電圧）よりも高くなった場合に、リセット信号が出力され、また前記リセット検知上限電圧は、データの送信状態かどうかに応じて切り替えられる。したがって、例えば所定の電磁波を用いずに電源電圧を外部より入力して、半導体集積回路を動作させようとした場合、リセット信号ＲＥＳＥＴが発生しないようにするためには、入力する電圧は常にリセット検知下限電圧よりも高く、かつリセット検知上限電圧よりも低い電圧に設定する必要がある。すなわち、外部より電源電圧を入力して半導体集積回路を動作させるのは、非常に困難であり、非接触ＩＣカードの安全性を大幅に向上させることが可能となる。
【００２６】
また、請求項１２の発明は、
請求項１に記載の半導体集積回路、および前記半導体集積回路に接続されて電磁波を送受信するアンテナコイルを有する非接触型情報媒体と、
前記非接触型情報媒体に対し、電磁波によって電源電圧の供給、およびデータの送受信を行うデータ送受信装置と、
を備えたことを特徴とする。
【００２７】
これにより、非接触型情報媒体（非接触ＩＣカード）と、この非接触ＩＣカードに対して電源電圧の供給、およびデータの送受信を行うデータ送受信装置（リーダーライタ）との間の通信可能な距離を延ばし、安定してデータの送受信を行うことができる。
【発明の効果】
【００２８】
本発明によれば、非接触型情報媒体（半導体集積回路）と、この非接触型情報媒体と非接触状態で通信を行うリーダーライタとの間の通信可能な距離を延ばし、また、非接触型情報媒体からデータをリーダーライタに返信する際に、電源電圧が低下しても安定してデータの送受信を行うことができる。
【発明を実施するための最良の形態】
【００２９】
以下、本発明の実施形態について図面を参照しながら説明する。
【００３０】
《発明の実施形態１》
（非接触ＩＣカードシステムの構成）
図１は、本発明の実施形態１に係る非接触型情報システム（非接触ＩＣカードシステム）の構成の概要を示すブロック図である。この非接触ＩＣカードシステムは非接触ＩＣカード１０００とリーダーライタ２０００とから構成されている。また、リーダーライタ２０００は、所定のデータ処理を行うホスト機３０００と接続されて通信を行うようになっている。
【００３１】
このような構成の非接触ＩＣカードシステムでは、非接触ＩＣカード１０００がリーダーライタ２０００に近づけられると、電磁波によって電源電圧の供給を受け、非接触状態であっても電磁波を用いたデータ通信が行われる。このデータ通信は、リーダーライタ２０００が非接触ＩＣカード１０００に対してデータを送信し、その後に非接触ＩＣカード１０００がリーダーライタ２０００に対してデータを返信するという手順で行われる。このデータ通信の結果、リーダーライタ２０００は、非接触ＩＣカード１０００のメモリに格納されている個人情報などのデータを獲得することができる。さらに、リーダーライタ２０００とホスト機３０００とが通信を行って、リーダーライタ２０００が獲得したデータをホスト機３０００に転送すれば、非接触ＩＣカード１０００に記録されたデータを広く利用することが可能になる。
【００３２】
（非接触ＩＣカード１０００の構成）
非接触ＩＣカード１０００は、図２に示すように、非接触ＩＣカード用ＬＳＩ１１００、アンテナコイル１２００、および同調用容量１３００とを備えて構成され、リーダーライタ２０００のアンテナコイル２１００から出力された電磁波をアンテナコイル１２００で受信し、受信した電磁波によって非接触ＩＣカード用ＬＳＩ１１００が電源電圧の供給を受けて動作するようになっている。
【００３３】
非接触ＩＣカード用ＬＳＩ１１００は、図２に示すように、アナログ回路部１００、ロジック回路部２００、データが格納される不揮発性メモリ回路部３００、およびコイル端子４１０・４２０を備えて構成されている。
【００３４】
非接触ＩＣカード用ＬＳＩ１１００のコイル端子４１０・４２０には、アンテナコイル１２００が接続され、またアンテナコイル１２００には同調用容量１３００が接続されている。したがって、アンテナコイル１２００がリーダーライタ２０００から電磁波を受信すると、コイル端子４１０とコイル端子４２０との間に交流電圧が発生し、発生した交流電圧は、アナログ回路部１００に入力される。
【００３５】
（アナログ回路部１００の構成）
アナログ回路部１００は、図２に示すように整流回路１１０、電源回路１２０、クロック発生回路１３０、復調回路１４０、変調回路１５０、およびリセット発生回路１６０を備えて構成されている。
【００３６】
整流回路１１０は、図３に示すように、ダイオード１１１とダイオード１１２とを備えて構成された倍電圧整流回路であり、コイル端子４１０・４２０間に発生した交流電圧を直流電圧に整流し、電圧を安定化させ、電源電圧Ｖｄｄを出力するようになっている。倍電圧整流回路は、他の種類の整流回路よりも、整流後に得られる電圧の値が大きいという特徴を持っている。
【００３７】
また、整流回路１１０は、整流された信号（受信データ信号）を復調回路１４０に出力するようになっている。
【００３８】
電源回路１２０は、整流回路１１０で整流された電源電圧Ｖｄｄを非接触ＩＣカード用ＬＳＩ１１００の全体に送るようになっている。これにより、非接触ＩＣカード用ＬＳＩ１１００全体の動作が可能になる。
【００３９】
クロック発生回路１３０は、アンテナコイル１２００の両端に発生する交流電圧を受けて生成したクロック信号ＣＬＫをロジック回路部２００に出力するようになっている。
【００４０】
復調回路１４０は、前記受信データ信号を復調し、復調した信号（復調信号ＲＸＤＡＴＡ）をロジック回路部２００に出力するようになっている。
【００４１】
（変調回路１５０の構成）
変調回路１５０は、図３に示すように、変調度調整抵抗１５１と変調用トランジスタ１５２とを備えて構成された負荷変調型の変調回路であり、ロジック回路部２００から入力された返信信号ＴＸＤＡＴＡを変調し、変調された信号をコイル端子４１０・４２０に出力するようになっている。アンテナコイル１２００の両端に発生した交流電圧（コイル端子４１０・４２０間の電圧）は、変調回路１５０の変調用トランジスタ１５２と変調度調整抵抗１５１で変化する。すなわち、非接触ＩＣカード１０００の負荷が変化することになる。
【００４２】
変調回路１５０で用いられる変調度調整抵抗１５１の抵抗値は、次のようにして設定される。
【００４３】
一般に変調回路１５０の特性は、図４に示すように、非接触ＩＣカード１０００とリーダーライタ２０００のデータ通信能力を示す変調度によって表される。この変調度は、非接触ＩＣカードに関する国際規格ＩＳＯ／ＩＥＣ１４４４３−２において規定されている規格を満足する必要がある。この規格を満たすためには、図４の実線（１）を境界として、変調回路１５０の持つ変調度が、実線（１）で区切られる上側の領域（３０／Ｈ1.2［ｍＶｐ］）に存在する必要がある。一般に磁界強度が弱いほど非接触ＩＣカード１０００に発生する電圧が小さいため、非接触ＩＣカード１０００とリーダーライタ２０００とのデータ通信を可能とするためには変調度を大きくする必要がある。
【００４４】
変調度の大きさは、図４の実線（２）および実線（３）に示すように、磁界強度、すなわちコイル端子４１０・４２０間に発生する電圧には、ほとんど依存せず、変調回路１５０の変調度調整抵抗１５１の抵抗値に依存する。そこで、変調度調整抵抗１５１の抵抗値を所定の値よりも小さな抵抗値に設定することによって、低磁界強度の状態でも、非接触ＩＣカード１０００とリーダーライタ２０００とのデータ通信が十分可能な程度に変調度を高くし、安定なデータ通信を行うことが可能になる。
【００４５】
（リセット発生回路１６０の構成）
リセット発生回路１６０は、ロジック回路部２００から入力されるスイッチ信号ＳＷ（Ｈｉｇｈレベルの場合に、非接触ＩＣカード１０００からリーダーライタ２０００へのデータの返信期間中であることを示す信号）に応じて切り替えられる閾値（リセット検知下限電圧Ｖｒｅｓｅｔ）と、電源電圧Ｖｄｄとを比較し、リセット検知下限電圧Ｖｒｅｓｅｔよりも電源電圧Ｖｄｄが下回った場合に、ロジック回路部２００をリセットするリセット信号ＲＥＳＥＴをＬｏｗレベル（Ｌレベル）からＨｉｇｈレベル（Ｈレベル）に遷移させてロジック回路部２００に出力し、またリセット検知下限電圧Ｖｒｅｓｅｔに達した場合に、リセット信号ＲＥＳＥＴをＨレベルからＬレベルに遷移させる。スイッチ信号ＳＷがＬレベルの期間（データの返信以外の動作をしている期間）にリセット検知下限電圧Ｖｒｅｓｅｔとして用いられる値（Ｖｒｅ１）は、非接触ＩＣカード用ＬＳＩ１１００の全体が誤動作を引き起こさない程度の電圧レベルに設定される。また、スイッチ信号ＳＷがＨレベルの期間（データの返信期間）に用いられる値（Ｖｒｅ２）は、少なくともロジック回路部２００が誤動作を引き起こさない程度の電圧レベルであって、かつ後述するようにデータの返信により電源電圧Ｖｄｄ（コイル端子４１０・４２０間の電圧）が低下した状態よりも低い電圧に設定される（不揮発性メモリ回路部３００は、この電圧で誤動作する可能性があってもよい。）。
【００４６】
上記のように、データの返信が行われている期間であるかどうかに応じて、リセット検知下限電圧Ｖｒｅｓｅｔが切り替えられるは、次の理由による。
【００４７】
例えば、非接触ＩＣカード１０００からリーダーライタ２０００へデータの返信が行われている期間（ロジック回路部２００が出力した返信信号ＴＸＤＡＴＡがＬレベルである期間）は、変調回路１５０の変調用トランジスタ１５２がオンになり、コイル端子４１０・４２０間の電圧が低下するが、コイル端子４１０・４２０間の電圧が十分に大きな電圧であった場合（例えば非接触ＩＣカード１０００とリーダーライタ２０００とが近接している場合）、または変調回路１５０の変調度調整抵抗１５１の抵抗値が十分に大きい場合には、変調用トランジスタ１５２がオン状態でも供給電力が十分に大きいため、コイル端子４１０・４２０間の電圧の低下は小さい。例えば、返信信号ＴＸＤＡＴＡがＬレベルである期間に、変調度調整抵抗１５１の抵抗値が大きければ、電源電圧Ｖｄｄは図５の直線（１）のように、Ｖｄｄ０（Ｖｄｄ０＝５．０Ｖ）からＶｄｄ１（Ｖｄｄ１＝４．５［Ｖ］とする）まで低下する。したがって、電源電圧Ｖｄｄの低下も小さく、リセット検知下限電圧ＶｒｅｓｅｔがＶｄｄ１よりも低く設定されていれば、リセット信号ＲＥＳＥＴが発生しないため、非接触ＩＣカード１０００とリーダーライタ２０００とのデータ通信は可能である。
【００４８】
一方、コイル端子４１０・４２０間電圧が小さい場合（例えば非接触ＩＣカード１０００とリーダーライタ２０００とが離れている場合）、または変調度調整抵抗１５１の抵抗値が小さければ小さいほど、負荷変調型である変調回路１５０の変調用トランジスタ１５２がオン状態になると電源電圧Ｖｄｄの低下を引き起こしてしまう。例えば、変調度調整抵抗１５１の抵抗値が所定の値よりも小さければ、電源電圧Ｖｄｄは図５の直線（２）のように、Ｖｄｄ０からＶｄｄ２（Ｖｄｄ２＝３．０［Ｖ］とする）まで低下する。そして、リセット発生回路１６０が電源電圧Ｖｄｄの低下を検知して、リセット信号ＲＥＳＥＴを非接触ＩＣカード用ＬＳＩ１１００に出力すると非接触ＩＣカード用ＬＳＩ１１００全体の動作が停止する。非接触ＩＣカード用ＬＳＩ１１００の動作が停止すると、非接触ＩＣカード１０００とリーダーライタ２０００とのデータ通信が不可能になる。
【００４９】
したがって、変調度調整抵抗１５１の抵抗値を小さくすると、低磁界強度時の状態では、ロジック回路部２００から変調回路１５０に送られる返信信号ＴＸＤＡＴＡがＬレベルの場合（非接触ＩＣカード１０００からリーダーライタ２０００へデータの返信が行われる場合）に、電源電圧Ｖｄｄの低下が大きくなっていしまい、リセット発生回路１６０がリセット信号ＲＥＳＥＴをロジック回路部２００に出力すると非接触ＩＣカード１０００とリーダーライタ２０００とのデータ通信が不可能になってしまう場合がある。
【００５０】
以上をまとめると、変調度調整抵抗１５１の抵抗値を小さくすれば変調度が高くなる反面、非接触ＩＣカード１０００からリーダーライタ２０００へのデータの返信時に低下する電源電圧の幅が大きくなる。一方、変調度調整抵抗１５１の抵抗値を大きくすれば非接触ＩＣカード１０００からリーダーライタ２０００へデータの返信が行われる時に、低下する電源電圧の幅が小さい反面、低磁界強度の状態では変調度が小さくなる。
【００５１】
そこで、変調回路１５０の変調度調整抵抗１５１の値を十分な変調度が得られる値に設定し、低下する電源電圧Ｖｄｄの幅が大きい場合にも、リセット信号ＲＥＳＥＴがＨレベルにならず、非接触ＩＣカード１０００とリーダーライタ２０００とのデータ通信が可能な状態を保つためには、非接触ＩＣカード１０００からリーダーライタ２０００へデータの返信が行われている期間は、上記のようにリセット発生回路１６０のリセット検知下限電圧Ｖｒｅｓｅｔをデータの返信時の電源電圧（Ｖｄｄ２）よりも下げる必要がある。
【００５２】
（リセット発生回路１６０の具体的な構成）
リセット発生回路１６０は、具体的には、図６に示すように、インバータ１６１、リセット検知下限電圧設定用トランジスタ１６２、抵抗器１６３〜１６５、参照電圧発生回路１６６、および比較器１６７を備えて構成される。
【００５３】
インバータ１６１は、スイッチ信号ＳＷのレベルを反転させるようになっている。
【００５４】
リセット検知下限電圧設定用トランジスタ１６２は、スイッチ信号ＳＷがインバータ１６１を介してゲート端子に入力され、電源電圧Ｖｄｄを分圧して降下させるように直列に接続された抵抗器（抵抗器１６３〜１６５）の個数を切り替えるようになっている。これにより、スイッチ信号ＳＷがＨレベルの場合に抵抗器１６３と抵抗器１６４との接続点の電圧が電源電圧Ｖｄｄになる。
【００５５】
抵抗器１６３〜１６５は、抵抗値がそれぞれＲ１、Ｒ２、およびＲ３の抵抗器であり、電源電圧Ｖｄｄを分圧して降下させるようになっている。
【００５６】
参照電圧発生回路１６６は、所定の電圧を発生させる回路であり、例えばバンドギャップ参照電圧発生回路等によって構成される。なお、以下の説明では、参照電圧発生回路１６６の出力電圧Ｖｒｅｆが約１．２Ｖである例を説明する。
【００５７】
比較器１６７は、抵抗器１６４と抵抗器１６５との接続点における電圧ＶＲと参照電圧発生回路１６６の出力電圧Ｖｒｅｆとの電圧比較を行うようになっている。
【００５８】
上記のように構成されることにより、リセット発生回路１６０は、ロジック回路部２００からスイッチ信号ＳＷが送られた場合に、抵抗器１６４と抵抗器１６５との接続点の電圧ＶＲを所定の電圧に引き上げることによって、リセット検知下限電圧Ｖｒｅｓｅｔを所定の電圧に下げることができる。
【００５９】
電圧ＶＲは、抵抗器１６３〜１６５の抵抗値を所定の値に設定するだけで、極めて容易に設定することができる。例えば、スイッチ信号ＳＷがＬレベルの場合のリセット検知下限電圧Ｖｒｅｓｅｔ（＝Ｖｒｅ１）が４．５［Ｖ］、スイッチ信号ＳＷがＨレベルの場合のリセット検知下限電圧Ｖｒｅｓｅｔ（＝Ｖｒｅ２）が３．０［Ｖ］、および参照電圧発生回路１６６の出力電圧Ｖｒｅｆが１．２Ｖ、Ｒ１＋Ｒ２＋Ｒ３＝１［ＭΩ］であるとすれば、抵抗器１６３〜１６５の抵抗値Ｒ１、Ｒ２、およびＲ３は、以下に示す（式１）〜（式３）の連立方程式を解くことで一様に定まる。
（式１）Ｒ１＋Ｒ２＋Ｒ３＝１０００［ｋΩ］
（式２）４．５／（Ｒ１＋Ｒ２＋Ｒ３）＝１．２／Ｒ３
《スイッチ信号ＳＷがＬレベルの場合に、リセット発生回路１６０の抵抗器に流れる電流値》
（式３）３．０／（Ｒ２＋Ｒ３）＝１．２／Ｒ３
《スイッチ信号ＳＷがＨレベルの場合に、リセット発生回路１６０の抵抗器に流れる電流値》
上記（式１）〜（式３）より、抵抗器１６３〜１６５のそれぞれの抵抗値は、Ｒ１＝３３３．３３［ｋΩ］、Ｒ２＝４００．００［ｋΩ］、およびＲ３＝２６６．６７［ｋΩ］となる。
【００６０】
したがって、スイッチ信号ＳＷがＬレベルの場合は、電源電圧Ｖｄｄを分圧する抵抗器は、抵抗器１６３・１６４・１６５の直列抵抗となり、リセット検知下限電圧ＶｒｅｓｅｔがＶｒｅ１＝４．５［Ｖ］となる。そして、抵抗器１６４と抵抗器１６５との接点の電圧ＶＲが１．２Ｖよりも小さい場合（すなわち電源電圧ＶｄｄがＶｒｅ１＝４．５［Ｖ］よりも小さい場合）に、リセット信号ＲＥＳＥＴがＬレベルからＨレベルに遷移する。
【００６１】
また、スイッチ信号ＳＷがＨレベルの場合は、電源電圧Ｖｄｄを分圧する抵抗器は、抵抗器１６４と抵抗器１６５との直列抵抗となり、リセット検知下限電圧ＶｒｅｓｅｔがＶｒｅ２＝３．０［Ｖ］となる。そして、電圧ＶＲが１．２Ｖよりも小さい場合（電源電圧ＶｄｄがＶｒｅ２＝３．０［Ｖ］よりも小さい場合）に、リセット信号ＲＥＳＥＴがＬレベルからＨレベルに遷移する。
【００６２】
反対に、リセット検知下限電圧Ｖｒｅｓｅｔの電圧を、Ｖｒｅ１＝４．５［Ｖ］、Ｖｒｅ２＝３．０［Ｖ］にするためには、図６のような回路構成で、抵抗器１６３〜１６５の抵抗値をそれぞれＲ１＝３３３．３３［ｋΩ］、Ｒ２＝４００．００［ｋΩ］、Ｒ３＝２６６．６７［ｋΩ］となるように設定すればよい。
【００６３】
このように、リセット発生回路１６０において、複数の抵抗器を直列に配置し、スイッチ信号ＳＷの状態に応じ、リセット検知下限電圧設定用トランジスタ１６２によって、電源電圧Ｖｄｄを降下させる抵抗器の個数を変えるので、回路規模を増大させずに簡単な回路構成で、２種類のリセット検知下限電圧Ｖｒｅ１とＶｒｅ２とを切り替えることができる。
【００６４】
（ロジック回路部２００の構成）
ロジック回路部２００は、非接触ＩＣカード１０００からリーダーライタ２０００へデータの返信が行われる場合に、前記リセット検知下限電圧Ｖｒｅｓｅｔを切り替えるために、スイッチ信号ＳＷをリセット発生回路１６０に出力するようになっている。具体的には、データの返信期間には、Ｈレベルのスイッチ信号ＳＷを出力し、データの返信期間以外の期間には、Ｌレベルのスイッチ信号ＳＷを出力する。スイッチ信号ＳＷをＨレベルに遷移させるタイミングは、データを変調回路１５０に出力するのと同時である。これにより、電源電圧がリセット検知下限電圧よりも低下する前に、前記リセット検知下限電圧を低く切り替えることができる。
【００６５】
また、スイッチ信号ＳＷをＨレベルからＬレベルに戻す場合には、図７の実線（３）のように、データの返信が終わったタイミングよりも遅れてスイッチ信号ＳＷをＬレベルに遷移させるようになっている。
【００６６】
例えば、図７は、非接触ＩＣカード１０００とリーダーライタ２０００との間で、データ通信が行われる際の各信号波形の拡大図である。この例では、返信信号ＴＸＤＡＴＡがＬレベル状態である期間は、変調回路１５０によりコイル端子４１０・４２０間の電圧がＶｄｄ２まで低下する。そして、データの返信が終了すると返信信号ＴＸＤＡＴＡはＬレベルからＨレベル状態となり、コイル端子４１０・４２０間の電圧がＶｄｄ０レベルに向かって上昇し、その電圧上昇にともなって、電源電圧Ｖｄｄは、Ｖｄｄ２からＶｄｄ０に向かって上昇する。
【００６７】
しかし、非接触ＩＣカード用ＬＳＩ１１００内部に寄生的に含まれる容量や付加される容量により、電源電圧Ｖｄｄの上昇速度は異なってくる。具体的には、非接触ＩＣカード用ＬＳＩ１１００の内部容量が大きい場合は、図７の実線（２）のように、非接触ＩＣカード１０００からリーダーライタ２０００へデータの返信が終わったときから、電源電圧Ｖｄｄがゆっくりと上昇する。
【００６８】
したがって、ロジック回路部２００からリセット発生回路１６０へ送られるスイッチ信号ＳＷがＨレベルからＬレベルへ変化するタイミングと、ロジック回路部２００から変調回路１５０に送られる返信信号ＴＸＤＡＴＡがＨレベル状態になるタイミングとの時間差が小さい場合は、電源電圧Ｖｄｄが十分にＶｄｄ０の電圧レベルに戻る前に、リセット発生回路１６０のリセット検知下限電圧Ｖｒｅｓｅｔが図７の点線（５）のように、Ｖｒｅ１まで立ち上がってしまう。その結果、リセット発生回路１６０がＨレベルのリセット信号ＲＥＳＥＴを出力し、非接触ＩＣカード１０００とリーダーライタ２０００とのデータ通信ができなくなってしまう。そこで、ロジック回路部２００は、スイッチ信号ＳＷの立下りタイミングを上記のように遅らせる必要がある。
【００６９】
ただし、あまりにもスイッチ信号ＳＷの立下りタイミングを遅らせ過ぎると、非接触ＩＣカード用ＬＳＩ１１００が内部処理を行う際に不揮発性メモリ回路部３００の動作が始まってしまう。そこで、図７に示すように、ロジック回路部２００は、変調回路１５０へ送る返信信号ＴＸＤＡＴＡの立ち上がりタイミングから、返信信号ＴＸＤＡＴＡがＬレベルである期間より長い期間だけ、スイッチ信号ＳＷの立下りタイミングを遅らせればよい。具体的には、非接触ＩＣカードの国際規格「ＩＳＯ／ＩＥＣ１４４４３  Ｔｙｐｅ  Ｂ」における変調周波数が８４８ｋＨｚであるため、１．１８［μ秒／２］、すなわち、５９０［ｎ秒］以上の時間タイミングだけ、スイッチ信号ＳＷの立下りタイミングを遅らせればよい。具体的には、ロジック回路部２００は、クロック発生回路１３０が出力するクロック信号ＣＬＫを利用して、上記のとおりのタイミングでスイッチ信号ＳＷのレベルを遷移させるように構成される。
【００７０】
また、ロジック回路部２００は、不揮発性メモリ回路部３００に対して、制御信号Ｃｔｒｌとアドレス信号Ａｄｄとを出力することによって、そのアドレスに対するデータ信号ＤＡＴＡの読み出し、および書き込みを行うようになっている。
【００７１】
また、ロジック回路部２００は、リセット信号ＲＥＳＥＴがＬレベルからＨレベルに遷移したタイミングで、リセット動作を行うようになっている。なお、リセット信号ＲＥＳＥＴがＨレベルの時には、ロジック回路部２００は、不揮発性メモリ回路部３００に前記制御信号Ｃｔｒｌを出力しない。これによりロジック回路部２００は、不揮発性メモリ回路部３００へのアクセスが不可能となる。一方、リセット信号ＲＥＳＥＴがＬレベルの時には、ロジック回路部２００は不揮発性メモリ回路部３００に制御信号Ｃｔｒｌを出力する。リセット信号ＲＥＳＥＴがＨレベルからＬレベルへ切り替わる瞬間は、不揮発性メモリ回路部３００へのアクセスが可能となる瞬間である。不揮発性メモリ回路部３００へのアクセスが可能であるとき、ロジック回路部２００は不揮発性メモリ回路部３００に格納されているデータを上記のように読み書きすることができる。
【００７２】
したがって、リーダーライタ２０００などの外部装置が非接触ＩＣカード１０００にデータを送信することが可能となるだけでなく、非接触ＩＣカード１０００からリーダーライタ２０００に対して、不揮発性メモリ回路部３００に格納されているデータを返信することが可能となる。
【００７３】
また、ロジック回路部２００は、不揮発性メモリ回路部３００から読み取ったデータ（返信すべきデータ）をバッファリングし、非接触ＩＣカード１０００からリーダーライタ２０００へのデータの返信する際には、変調回路１５０へ返信信号ＴＸＤＡＴＡをＨレベルからＬレベルに遷移させて、バッファリングしてあるデータを出力するようになっている。
【００７４】
このように、読み取ったデータを返信する際に不揮発性メモリ回路部３００を動作させず、バッファリングしてあるデータを用いるのは、次の理由による。
【００７５】
例えば、非接触ＩＣカード１０００とリーダーライタ２０００との間でデータ通信が全く行われていない場合に、リセット発生回路１６０のリセット検知下限電圧ＶｒｅｓｅｔがＶｒｅ２（３．０［Ｖ］以下）に低下させられた場合に、ロジック回路部２００が不揮発性メモリ回路部３００に制御信号Ｃｔｒｌを出力すると、不揮発性メモリ回路部３００は動作させられる。ロジック回路部２００は、通常は、論理ゲートのみで構成されるため、電源電圧Ｖｄｄが３．０［Ｖ］程度の状態に落ちても、通常は問題なく動作する。
【００７６】
しかし、不揮発性メモリ回路部３００は、論理ゲートだけではなくメモリセルなどにより構成されるため、電源電圧Ｖｄｄが３．０［Ｖ］程度に落ちた状態で、不揮発性メモリ回路部３００を動作させると、不揮発性メモリ回路部３００が有するメモリセルへの書き込み時間などが規定値にならず、正常な動作が保証されなくなってしまう。このため、電源電圧Ｖｄｄが３．０［Ｖ］程度に落ちた場合には、不揮発性メモリ回路部３００を動作させないように設計する必要がある。
【００７７】
そこで、ロジック回路部２００は、上記のように非接触ＩＣカード１０００からリーダーライタ２０００へのデータの返信する際には、不揮発性メモリ回路部３００には制御信号Ｃｔｒｌを出力しないようにして不揮発性メモリ回路部３００を動作させないようにし、ロジック回路部２００のみが動作して、バッファリングしてあるデータを変調回路１５０に出力するように構成される。
【００７８】
（非接触ＩＣカードシステムの動作）
上記のように構成された、非接触ＩＣカードシステムでは、データの送受信が行われる場合に、非接触ＩＣカード１０００がリーダーライタ２０００に対して所定の距離内に近づけられるとアンテナコイル１２００に交流電圧が発生し、整流回路１１０で整流された後、電源回路１２０により電源電圧Ｖｄｄとして出力され、非接触ＩＣカード用ＬＳＩ１１００全体に対して供給される。リーダーライタ２０００から送信されたデータは、アンテナコイル１２００で受信された後、整流回路１１０を介して復調回路１４０に入力されて復調される。
【００７９】
また、非接触ＩＣカード１０００からリーダーライタ２０００に対してデータを返信する場合には、まずロジック回路部２００は、不揮発性メモリ回路部３００に対して、制御信号Ｃｔｒｌとアドレス信号Ａｄｄとを出力することによって、不揮発性メモリ回路部３００から返信すべきデータを読み取ってバッファに格納する。
【００８０】
また、ロジック回路部２００は、スイッチ信号ＳＷをＬレベルからＨレベルに遷移させ、リセット発生回路１６０のリセット検知下限電圧ＶｒｅｓｅｔをＶｒｅ１（＝４．５［Ｖ］）からＶｒｅ２（＝３．０［Ｖ］）に低下させる。
【００８１】
この際、ロジック回路部２００は、制御信号ＣｔｒｌをＬレベルにすることによって、不揮発性メモリ回路部３００を動作させないようにする。そして、ロジック回路部２００がＬレベルの返信信号ＴＸＤＡＴＡを変調回路１５０に出力することによって、変調回路１５０の変調用トランジスタ１５２がオンになる。
【００８２】
本実施形態の場合、返信信号ＴＸＤＡＴＡがＬレベルである期間は、変調度調整抵抗１５１を介して、コイル端子４１０・４２０間が接続されるため、コイル端子４１０・４２０間の電圧は低下するが、リセット発生回路１６０のリセット検知下限電圧Ｖｒｅｓｅｔは、不揮発性メモリ回路部３００によってＶｒｅ２に切り替えられているので、コイル端子４１０・４２０間の電圧が低下してもロジック回路部２００はリセットされることなく、データ（返信信号ＴＸＤＡＴＡ）は変調回路１５０を介してリーダーライタ２０００に返信される。
【００８３】
上記のように本実施形態によれば、不揮発性メモリ回路部よりも低電圧で動作できるロジック回路に、返信すべきデータを保持させ、さらに前記リセット検知下限電圧をデータが返信される期間には低下させるので、変調度を十分に大きくして非接触ＩＣカードとリーダーライタとの間の通信可能な距離を延ばし、安定してデータの送受信を行うことができる。すなわち、本発明の半導体集積回路は、近々普及すると見込まれている近接型（通信距離０〜１０ｃｍ）の非接触ＩＣカードへの適用に対し有用である。
【００８４】
《発明の実施形態１の変形例》
リセット発生回路１６０に対し比較器１６７の出力を反転させるインバータが付加された高電圧側リセット発生回路を実施形態１の非接触ＩＣカード用ＬＳＩ１１００に、さらに設けてもよい。
【００８５】
この高電圧側リセット発生回路には、ロジック回路部２００からスイッチ信号ＳＷを入力し、リセット信号ＲＥＳＥＴをロジック回路部２００に出力するように非接触ＩＣカード用ＬＳＩ１１００を構成する。
【００８６】
前記高電圧側リセット発生回路は、ロジック回路部２００から入力されるスイッチ信号ＳＷに応じて切り替えられる閾値（リセット検知上限電圧Ｖ´ｒｅｓｅｔ）と、電源電圧Ｖｄｄとを比較し、リセット検知上限電圧Ｖ´ｒｅｓｅｔよりも電源電圧Ｖｄｄが上回った場合に、ロジック回路部２００をリセットするリセット信号ＲＥＳＥＴをＬレベルＨレベルに遷移させてロジック回路部２００に出力し、またリセット検知上限電圧Ｖ´ｒｅｓｅｔを下回った場合に、リセット信号ＲＥＳＥＴをＨレベルからＬレベルに遷移させる。
【００８７】
非接触ＩＣカード１０００からリーダーライタ２０００へのデータの返信時（ロジック回路部２００から変調回路１５０へ送られる返信信号ＴＸＤＡＴＡがＬレベルである期間）に、電源電圧ＶｄｄがＶｄｄ０からＶｄｄ２へ低下するものとすれば、スイッチ信号ＳＷがＬレベルの期間（データの返信以外の動作をしている期間）にリセット検知上限電圧Ｖ´ｒｅｓｅｔとして用いられる値（Ｖｒｅ３）は、Ｖｒｅ３＞Ｖｄｄ０となる電圧レベルに設定される。また、スイッチ信号ＳＷがＨレベルの期間（データの返信期間）に用いられる値（Ｖｒｅ４）は、Ｖｒｅ４＞Ｖｄｄ２となる電圧レベルに設定される。
【００８８】
これら２種類のリセット検知上限電圧Ｖｒｅ３とＶｒｅ４とは、高電圧側リセット発生回路においても抵抗器１６３〜１６５の値を所定の値の設定し、リセット検知下限電圧設定用トランジスタ１６２によって電源電圧を分圧する抵抗器の個数を変化させることによって設定することができる。
【００８９】
このようにＶｒｅ３とＶｒｅ４とが設定されることによって、スイッチ信号ＳＷ、および返信信号ＴＸＤＡＴＡに応じてリセット検知上限電圧は、図８に示すように変化する。
【００９０】
例えば第三者が本変形例に係る非接触ＩＣカード用ＬＳＩ１１００の外部から電源を入力し、非接触ＩＣカード用ＬＳＩ１１００内部の信号や不揮発性メモリ回路部３００に記憶されているデータの読み出しや書き換えを、悪意を持って行おうとする場合、第三者は、電源電圧Ｖｄｄの代わりとなる電圧を外部より入力する必要がある。
【００９１】
すなわち、電源電圧を外部より入力する場合には、リセット信号ＲＥＳＥＴが発生しないようにするために、電源電圧Ｖｄｄの代わりとなる電圧は、常にリセット検知下限電圧Ｖｒｅｓｅｔよりも高く、かつリセット検知上限電圧Ｖ´ｒｅｓｅｔよりも低い電圧に設定する必要がある。
【００９２】
しかし、外部より入力する電源電圧をリセット信号ＲＥＳＥＴが発生しないように常に調整することは非常に困難である。したがって、本変形例に係る非接触ＩＣカードシステムは、リセット発生回路１６０の回路構成を複雑にしなくても、非接触ＩＣカード用ＬＳＩ１１００の安全性を大幅に向上させることが容易に可能となる。
【００９３】
なお、上記の実施形態で説明したリセット発生回路１６０において、上記のように２種類のリセット検知下限電圧Ｖｒｅ１とＶｒｅ２とを定めるのではなく、スイッチ信号ＳＷが入力された場合には必ずＬレベルのリセット信号ＲＥＳＥＴをロジック回路部２００に出力するようにしてもよい。このようの構成しても、やはり非接触ＩＣカード１０００とリーダーライタ２０００との間のデータ通信を維持することができる。
【００９４】
また、参照電圧発生回路１６６の出力電圧は例示であり、抵抗器１６３〜１６５を所定の値に設定すれば、この出力電圧とは異なる電圧を出力する回路であっても、適用することができる。
【００９５】
また、整流回路１１０には、倍電圧整流回路が使用された例を説明したが、全波整流回路や半波整流回路で電波を整流する整流回路を使用してもよい。
【００９６】
また、上記の実施形態に係る変調回路１５０には、コイル端子４１０・４２０間電圧を変調する回路が使用されているが、電源電圧Ｖｄｄを変調する変調回路を使用してもよい。
【００９７】
また、上記の実施形態で示した、各信号のレベルとそのレベルが示す内容との対応関係などは一例であり、これらに限るものではない。
【産業上の利用可能性】
【００９８】
本発明に係る半導体集積回路、及びこれを搭載した非接触型情報システムは、非接触型情報媒体（半導体集積回路）と、この非接触型情報媒体と非接触状態で通信を行うリーダーライタとの間の通信可能な距離を延ばし、また、非接触型情報媒体からデータをリーダーライタに返信する際に、電源電圧が低下しても安定してデータの送受信を行うことができるという効果を有し、電磁波によって電力の供給を受ける半導体集積回路、およびこの半導体集積回路を搭載した非接触型情報媒体を含む情報システム（非接触型情報システム）等として有用である。
【図面の簡単な説明】
【００９９】
【図１】図１は、非接触ＩＣカードシステムの概略図である。
【図２】図２は、本発明の実施形態に係る非接触ＩＣカード用ＬＳＩの構成を示すブロック図である。
【図３】図３は、本発明の実施形態に係る変調回路、および整流回路の構成を示すブロック図である。
【図４】図４は、磁界強度と変調度との関係を示す図である。
【図５】図５は、返信信号ＴＸＤＡＴＡとコイル端子間の電圧、電源電圧、リセット検知下限信号等との関係を示す波形図である。
【図６】図６は、本発明の実施形態に係るリセット発生回路の構成を示すブロック図である
【図７】図７は、スイッチ信号ＳＷを切り替えるタイミング、電源電圧の変動を示す波形図である。
【図８】図８は、本発明の実施形態の変形例における、返信信号ＴＸＤＡＴＡとリセット検知電圧等の関係を示す波形図である。
【符号の説明】
【０１００】
１００      アナログ回路部
１１０      整流回路
１１１      ダイオード
１１２      ダイオード
１２０      電源回路
１３０      クロック発生回路
１４０      復調回路
１５０      変調回路
１５１      変調度調整抵抗
１５２      変調用トランジスタ
１６０      リセット発生回路
１６１      インバータ
１６２      リセット検知下限電圧設定用トランジスタ
１６３〜１６５    抵抗器
１６６      参照電圧発生回路
１６７      比較器
２００      ロジック回路部
３００      不揮発性メモリ回路部
４１０      コイル端子
４２０      コイル端子
１０００      非接触ＩＣカード
１１００      非接触ＩＣカード用ＬＳＩ
１２００      アンテナコイル
１３００      同調用容量
２０００      リーダーライタ
２１００      アンテナコイル
３０００      ホスト機
【図１】
0004238265.tif 000002
【図２】
0004238265.tif 000003
【図３】
0004238265.tif 000004
【図４】
0004238265.tif 000005
【図５】
0004238265.tif 000006
【図６】
0004238265.tif 000007
【図７】
0004238265.tif 000008
【図８】
0004238265.tif 000009